(57)【要約】【課題】  注出筒と、注出口を閉じる蓋体がともに廻動するとともに、開蓋時には、蓋支持板の弾性復元によって注出口から移動し、流出の妨げにならない状態に位置するようにした容器の液注出栓具を提供すること。【解決手段】  取付筒と流通管、注出筒を嵌挿した支持筒とを具備し、容器の液流出筒に取着された液注出栓具であって、注出筒は、流通管に連通する注出開口を具え、上端に摘みを取着するとともに、下端を注出口としており、摘みの基部に、先端を薄肉部とし、該薄肉部先端に注出口を閉じる蓋体を取着した蓋支持板を連設していることを特徴とする。【選択図】  図１
2005214241.tif 000002
【特許請求の範囲】
【請求項１】
取付筒と流通管、注出筒を嵌挿した支持筒とを具備し、容器の液流出筒に取着された液注出栓具であって、
注出筒は、流通管に連通する注出開口を具え、上端に摘みを取着するとともに、下端を注出口としており、
摘みの基部に、先端を薄肉部とし、該薄肉部先端に注出口を閉じる蓋体を取着した蓋支持板を連設していることを特徴とする液注出栓具。
【請求項２】
蓋支持板が、薄肉の連結部を介して摘みの基部に連設され、中間部に支持筒を抱持する把持片が設けられていることを特徴とする請求項１記載の液注出栓具。
【請求項３】
摘み基部に、突出片を突設した板状体が垂設され、
蓋支持板が、薄肉の連結部を介して摘み基部に連設され、蓋支持板に前記突出片が嵌挿される係止孔を設けたことを特徴とする請求項１記載の液注出栓具。
【発明の詳細な説明】
【技術分野】
【０００１】
本発明は、容器の液注出栓具、とくに大容量の容器下端部に設けた液流出筒に取着する液注出栓具に関するものである。
【背景技術】
【０００２】
合成樹脂製容器（１）と、ダンボール箱（１１）とからなる液体密封容器において、容器に開閉自在な注入口（３）と流出口（５）を設け、流出口（５）に、蓋体（１２）と支持筒体（１４）、筒栓（１６）とハンドル（２５）、および注出口（１５）を塞ぐ筒栓用蓋（２２）とを具えた液注出栓を取着した容器は、従来より知られている（特許文献１参照）。
【特許文献１】実公昭４５−３３０９７号公報
【発明の開示】
【発明が解決しようとする課題】
【０００３】
しかしながら、上記従来容器では、筒栓用蓋（２２）は、支持筒体（１４）に取付紐（２３）を介して取着されている。
取付紐（２３）が一定の剛性を有する場合、筒栓用蓋（２２）をしたままで、ハンドル（２５）を廻動したときには、取付紐（２３）にねじれ力が働き、取付紐（２３）が変形したり、場合によっては破損するという問題があった。
また、取付紐（２３）が柔らかいものであると、液注出時に、筒栓用蓋（２２）が液の流出路上に位置されることがあり、液流の妨げになるという問題があった。
【０００４】
本発明は、上記問題を解決することを課題として、注出筒と、注出口を閉じる蓋体がともに廻動するとともに、開蓋時には、蓋支持板の弾性復元によって注出口から移動し、流出の妨げにならない状態に位置するようにした容器の液注出栓具を提供することを目的とする。
【課題を解決するための手段】
【０００５】
本発明は、上記の課題を解決するため、液注出栓具として、取付筒と流通管、注出筒を嵌挿した支持筒とを具備し、容器の液流出筒に取着された液注出栓具であって、注出筒は、流通管に連通する注出開口を具え、上端に摘みを取着するとともに、下端を注出口としており、摘みの基部に、先端を薄肉部とし、該薄肉部先端に注出口を閉じる蓋体を取着した蓋支持板を連設していることを特徴とする構成を採用する。
【０００６】
蓋支持板の実施態様として、蓋支持板が、薄肉の連結部を介して摘みの基部に連設され、中間部に支持筒を抱持する把持片が設けられていることを特徴とする構成を採用する。
【０００７】
蓋支持板の別実施態様として、摘み基部に、突出片を突設した板状体が垂設され、蓋支持板が、薄肉の連結部を介して摘み基部に連設され、蓋支持板に前記突出片が嵌挿される係止孔を設けたことを特徴とする構成を採用する。
【発明の効果】
【０００８】
支持筒に廻動可能に嵌挿した注出筒の上端に摘みを取着し、摘みの基部に先端に注出筒の注出口を閉じる蓋体を設けた蓋支持板を連設したので、閉蓋状態で摘みを廻動した場合に、注出筒とともに蓋体が廻動し、注出筒と蓋体との間にねじれ力が加わらないようになった。
また、開蓋したとき、蓋支持板の弾性復元によって、蓋体は注出口から離間して位置するようになったので、液流の妨げにならなくなった。
【発明を実施するための最良の形態】
【０００９】
次に、本発明の液注出栓具について、実施例を参照して説明する。
【実施例１】
【００１０】
図１、２において、Ａは容器、Ｂは外箱、Ｃは容器に取着された液注出栓具である。
容器Ａは、可撓性を有する薄肉の合成樹脂によって形成されており、胴壁１には、内容液を注入，流出するための液流出筒２が配設され、液流出筒２の外周面には、ねじ３が螺設されており、液体の充填後に仮蓋（図示しない）が被嵌される。
【００１１】
外箱Ｂは、ダンボール製、または合成樹脂製であり、容器Ａの液流出筒２に対応する位置には、ミシン折り目、或いは切断ラインを介して開口４が形成されるようになっている。
【００１２】
液注出栓具Ｃは、取付筒５と流通管６、および注出筒７を嵌挿した支持筒８とを具備している。
取付筒５は、頂壁９と側周壁１０とからなり、頂壁９中央には、開口１１が設けられ、流通管６に連通している。
側周壁１０内周には、液流出筒２のねじ３に螺合するねじ１２が螺設されており、取付筒５は、パッキンＰを介して液流出筒２に締着されるようになっている。
【００１３】
流通管６は、連通孔１３を介して支持筒８と接続され、注出筒７には、連通孔１３に対応する位置に注出開口１４が穿設されている。
注出筒７の上端には摘み１５が取着されており、下端は注出口１６となっている。
【００１４】
摘み１５は、角部を円弧とした角形状の基部１７と操作部１８とからなり、基部１７の側部上端には、薄肉の連結部１９を介して先端に注出口１６を開閉する蓋体２０を設けた蓋支持板２１が連設されている。
蓋支持板２１基端部または先端部には、支持筒８を挟持する一対の把持片２２が設けられており、蓋支持板２１の蓋体２０から一定部分は、薄肉部２３となっている。
【００１５】
蓋体２０は、注出筒７を密封する頂壁２４と側周壁２５とからなり、側周壁２５の上端は、頂壁２４に沿って蓋支持板２１に接続しており、その反対側には、摘み２６が突設されている。
【００１６】
次に、本発明の容器と液注出栓具の使用形態と作用効果について説明する。
容器Ａには、液流出筒２から内容液を充填し、仮蓋をした上で外箱Ｂ内に収納し、出荷される。
【００１７】
使用にあたっては、外箱Ｂの開口４が上になるように開口４を開いて、仮蓋を取外し、次いで、液注出栓具Ｃの取付筒５を容器Ａの液流出筒２に螺合して、液注出栓具Ｃを容器Ａに取付ける。
【００１８】
液注出栓具Ｃの蓋支持板２１は、連結部１９で折曲げて下垂させ、把持片２２で支持筒８を挟持するようにして支持筒８に取付けられる。
【００１９】
液の注出時には、摘み１５を廻動することによって、注出筒７内の注出開口１４と支持筒８の連通孔１３との間に流路が形成されて、内容液が注出口１６より注出される。
所要量の注出が終わり摘み１５を元に戻すと、連通孔１３が遮断され注出が止められる。
次いで、図３に示すように、蓋体２０を注出口１６に被嵌すると、注出筒７内が密封され、大気中の雑菌や塵埃が注出筒７内の残液に付着することはない。
【００２０】
蓋体２０の被嵌時には、蓋支持板２１の薄肉部２３は、図３に示すように、円弧状に湾曲され、薄肉部２３の接続部２３ａは９０゜近く屈曲され、塑性変形し、屈曲状態が保たれる。  
次回の注出時に蓋体２０を外したときには、薄肉部２３は、接続部２３ａで屈曲し、図４に示すように、接続部２３ａと蓋体２０との間の薄肉部２３が復元し、蓋体２０は、注出口１６から離れた状態に位置されるとともに、蓋体２０が摘み１５の廻動方向に移動しているため、注出の妨げにはならない。
【００２１】
また、蓋体２０を閉じているときに摘み１５を廻動させても、蓋体２０は注出筒７とともに廻動されるので、薄肉部２３にねじれ力などはかからない。
【実施例２】
【００２２】
次に、蓋支持板の構成を変更した第２実施例について説明する。
前実施例では、蓋支持板２１を把持片２２によって支持筒８に廻動自在に取付けるようにしたが、本実施例は、摘みの下側に突出片を突設した板状体を垂下させ、該突出片を蓋支持板の上部に設けた係止孔に嵌挿するようにしたもので、以下相違点を中心に説明する。
【００２３】
図５に示すように、Ｃａは液注出栓具であって、前実施例と同様に、取付筒５ａと流通管６ａ、および注出筒７ａを嵌挿した支持筒８ａとを具えている。
注出筒７ａの上端には、摘み３０が設けられており、下端は注出口１６ａとなっている。
摘み３０は、角部を円弧とした角形状で、支持筒８ａの外周から突出する基部３１と操作部３２とからなっており、基部３１の側部には、突出片３３を突設した板状体３４が垂設されている。
【００２４】
板状体３４上方の基部３１上端には、薄肉の連結部３５を介して、先端に蓋体３６を設けた蓋支持板３７が連設されている。
蓋支持板３７は、巾広の根本部３８と巾細の連結板３９とからなっており、根本部３８には、突出片３３が嵌挿される係止孔４０が穿設されている。
【００２５】
蓋体３６は、前記第１実施例と同一であり、蓋体３６から所定の位置までは薄肉部４１となっている。
【００２６】
次に、本第２実施例の作用効果について説明する。
蓋支持板３７の支持筒８ａへの取付けに際して、連結部３５で蓋支持板３７を下方に折曲げ、板状体３４の突出片３３を根本部３８の係止孔４０に係合させることによって、図６、７に示すように、蓋支持板３７を支持筒８ａに当接させるよう支持することができる。
【００２７】
液の注出時、注出後の蓋体３６の開閉など、その他の作用効果は、前記第１実施例と同様である。
【００２８】
前記各実施例では、容器を柔軟な合成樹脂をもって成形し、外箱内に収納するようにしているが、容器を硬質の合成樹脂をもって成形し、注入孔と注出孔を別途に設け、注出孔に本発明の液注出栓具を取付けるようにしてもよく、容器は可撓性を有する薄肉の容器に限定されない。
また、薄肉の容器でない場合は、外箱は不要である。
【００２９】
前記各実施例では、容器Ａの液流出筒２の外周にねじ３を螺設し、液流出栓具Ｃの取付筒５の側周壁１０にねじ１２を螺設し、液注出栓具Ｃを螺着するようにしたが、液注出筒２の外周端部に嵌合突条を設け、取付筒５の内周端部に液流出筒２の嵌合突条に係合する係合突条を設け、頂壁に液流出筒２の内周に嵌合する密封リングを設け、液注出栓具Ｃを容器Ａの液流出筒２に嵌合させるようにしてもよい。 
【産業上の利用可能性】
【００３０】
蓋体が、可撓性を有する薄肉部を介して蓋支持体に連設されているので、蓋体の開閉が容易に行われ、また、蓋体と注出筒がともに廻動するようにしたので、薄肉部が破損することはない。
従って、本発明の液注出栓具は、可撓性の薄肉容器だけでなく、剛性を有する容器、大型容器などの液注出栓具としても使用できる。
【図面の簡単な説明】
【００３１】
【図１】液注出栓具の第１実施例の閉蓋持の断面図である。
【図２】液注出栓具の成形時の斜視図である。
【図３】閉蓋時の液注出栓具の斜視図である。
【図４】開蓋時の液注出栓具の斜視図である。
【図５】第２実施例の液注出栓具の成形時の斜視図である。
【図６】閉蓋時の液注出栓具の斜視図である。
【図７】開蓋時の液注出栓具の斜視図である。
【符号の説明】
【００３２】
Ａ            容器
Ｂ            外箱
Ｃ、Ｃａ      液注出栓具
５、５ａ      取付筒
６、６ａ      流通管
７、７ａ      注出筒
８、８ａ      支持筒
１４          注出開口
１５、３０    摘み
１６、１６ａ  注出口
１７、３１    基部
１８、３２    操作部
１９          連結部
２０、３６    蓋体
２１、３７    蓋支持板
２２          把持片
２３、４１    薄肉部
２３ａ、３５  連結部
３３          突出片
３４          板状体
３８          根本部
３９          連結板
４０          係止孔
【図１】
2005214241.tif 000003
【図２】
2005214241.tif 000004
【図３】
2005214241.tif 000005
【図４】
2005214241.tif 000006
【図５】
2005214241.tif 000007
【図６】
2005214241.tif 000008
【図７】
2005214241.tif 000009